(57)【特許請求の範囲】
【請求項１】
基材シートの一方の面に刷毛部が、前記基材シートの他方の面に保持シートが設けられ、前記基材シートと前記保持シートとが間隔を開けた接合部によって接合され、前記接合部と接合部との間で、且つ前記基材シートと前記保持シートとの間に、把持具に装着される保持空間が形成されており、
前記基材シートと、前記保持シートとが、互いに異なる色彩を呈し、
前記保持空間の入口が、前記基材シートの縁部に向けて開口するとともに、前記入口が前記縁部よりも内側に位置していることを特徴とする清掃用物品。
【請求項２】
前記刷毛部は、少なくとも前記基材シートに近接する部分が白色以外の色に着色され、前記基材シートは前記色を透視できる素材で形成されており、前記基材シートを透して前記色が目視可能とされることにより、前記基材シートと、前記保持シートとが、互いに異なる色彩を呈している請求項１記載の清掃用物品。
【請求項３】
前記保持シートが白色である請求項１または２記載の清掃用物品。
【請求項４】
前記刷毛部が、繊維束のみで形成されている請求項１ないし３のいずれかに記載の清掃用物品。
【請求項５】
前記刷毛部が、繊維束と、複数の短冊片を有するシートとで形成されている請求項１ないし３のいずれかに記載の清掃用物品。
【請求項６】
前記短冊片を有するシートが、着色された繊維で形成された不織布である請求項５記載の清掃用物品。
【発明の詳細な説明】
【技術分野】
【０００１】
本発明は、把持具に装着されて使用される清掃用物品に関する。
【背景技術】
【０００２】
床などの拭取り清掃を行うための従来の使い捨て可能な清掃用物品は、スパンレース不織布、または前記スパンレース不織布の表面にパラフィンなどの吸塵剤を塗布したシート状のものが主であり、使用時には専用モップの先部に巻き付ける様にして装着するものが主である。
【０００３】
しかし、従来の不織布で形成された清掃用物品は、細かな埃を集める能力があまり高くなく、また床などの比較的広い面積を清掃することを目的としているため、家具の表面や家具の隙間などを効率よく清掃するのには適していない構造であった。また専用モップに清掃用物品を巻き付けて固定する操作も面倒であった。
【０００４】
また前記清掃用物品は、白色繊維で形成されたものであるため、全体の色彩が白色で、色彩が単調である。またこの種の清掃用物品を片手で保持できる把持具に装着することで家具表面などの清掃に適したものになるが、清掃用物品を白色の素材のみで形成していると、把持具を装着する部分の入口を目視で簡単に識別することが難しい。従来、この主の清掃用物品の把持具へ装着を容易にするための対策を講じているものは見られない。
【０００５】
また特許文献１などには、この種の不織布で形成された清掃用物品を、片手で保持できる把持具に装着できるようにしているが、把持具を清掃用物品の縁部から挿入する構造であるために、しかも把持具を挿入する入口が目立たないため、把持具に装着する操作が不便である。
【特許文献１】特開平１０−１４６３０６号公報
【発明の開示】
【発明が解決しようとする課題】
【０００６】
本発明は上記従来の課題を解決するものであり、色彩を施すことにより、把持具への装着箇所を目視で明瞭に認識できるとともに、把持具の挿入位置や挿入方向を認識し易く、把持具を確実に且つ簡単に装着することができ、さらには見た目に美しい清掃用物品を提供することを目的としている。
【課題を解決するための手段】
【００１２】
本発明は、基材シートの一方の面に刷毛部が、前記基材シートの他方の面に保持シートが設けられ、前記基材シートと前記保持シートとが間隔を開けた接合部によって接合され、前記接合部と接合部との間で、且つ前記基材シートと前記保持シートとの間に、把持具に装着される保持空間が形成されており、
前記基材シートと、前記保持シートとが、互いに異なる色彩を呈し、
前記保持空間の入口が、前記基材シートの縁部に向けて開口するとともに、前記入口が前記縁部よりも内側に位置していることを特徴とするものである。
上記発明では、把持具に対する装着が容易になる。この点において、前記保持シートの端部が複数枚重ねに畳まれているものとすることがさらに好ましい。
【００１４】
前記刷毛部は、少なくとも前記基材シートに近接する部分が白色以外の色に着色され、前記基材シートは前記色を透視できる素材で形成されており、前記基材シートを透して前記色が目視可能とされることにより、前記基材シートと、前記保持シートとが、互いに異なる色彩を呈しているものとして構成できる。
【００１５】
本発明は、例えば前記保持シートが白色である。また、前記刷毛部が、繊維束のみで形成されているものであってもよい。
【００１６】
また前記において、前記刷毛部が、繊維束と、複数の短冊片を有するシートとで形成されているものであってもよい。この場合に、前記短冊片を有するシートが、着色された繊維で形成された不織布であってもよい。
【００１７】
上記本発明では、把持具の挿入位置や挿入方向が目視にて認識し易くなるので、把持具を確実且つ簡単に装着することが可能になる。また美感にも優れた物品が得られる。
【発明の効果】
【００１８】
以上のように本発明の清掃用物品は、色彩を施すことにより把持具の装着箇所を目視で明瞭に認識できるとともに、把持具の挿入位置や挿入方向を認識し易いので、把持具を確実に且つ簡単に装着することができ、さらには優れた美感を呈する清掃用物品が得られる。
【発明を実施するための最良の形態】
【００１９】
以下、本発明の清掃用物品について図面を参照して説明する。図１は第１の本発明の清掃用物品の実施の形態を示す斜視図、図２は清掃用物品を各層別に上下逆に示す分解斜視図である。
【００２０】
図１に示す清掃用物品１０は、上側から順番に（図２では下から順番に）、保持シート１、基材シート２、第１の繊維束３、第２の繊維束４、複数の短冊片が形成された短冊シート５、第３の繊維束６の順に積層されている。そして前記第１の繊維束３、第２の繊維束４、短冊シート５、および第３の繊維束６によって埃を取ることのできる刷毛部が形成されている。
【００２１】
この清掃用物品１０は短辺の延びる方向が製造時の流れ方向（ＭＤ）である。
前記保持シート１、基材シート２および短冊シート５は使い捨てが可能な素材で形成され、熱可塑性繊維（熱融着性繊維）で形成された不織布、または熱可塑性繊維を含む不織布である。前記熱可塑性繊維はＰＥ（ポリエチレン）、ＰＰ（ポリプロピレン）、ＰＥＴ（ポリエチレンテレフタレート）繊維、ＰＥとＰＥＴの複合繊維、ＰＥとＰＰの複合繊維、例えば芯がＰＥＴまたはＰＰ、鞘がＰＥの芯鞘構造の複合繊維などであり、不織布は、サーマルボンド不織布、スパンボンド不織布、エアースルーボンド不織布、あるいはスパンレース不織布などである。また、前記保持シート１、基材シート２および短冊シート５が、熱可塑性樹脂フィルムで例えばＰＥフィルム、ＰＰフィルムであってもよい。または前記保持シート１、基材シート２および短冊シート５が、不織布と樹脂フィルムとのラミネートシートであってもよい。
【００２２】
前記第１の繊維束３、第２の繊維束４、および第３の繊維束６は、熱可塑性繊維の束（層）、あるいは少なくとも一部に熱可塑性繊維が含まれた繊維の束であり、例えばトウから開繊された長繊維束が使用される。長繊維束は、例えばＰＥ、ＰＰ、Ｎｅ（ナイロン）、レーヨンなどから製造される。この中でも、芯がＰＰまたはＰＥＴ、鞘がＰＥの芯鞘構造の複合繊維を用いることが好ましい。
【００２３】
本実施の形態では、前記第１の繊維束３、第２の繊維束４および第３の繊維束６が、前記保持シート１、基材シート２及び短冊シート５と異なる色彩となるように形成されている。例えば、前記保持シート１、基材シート２および短冊シート５が、いずれも白色繊維で形成された不織布、あるいは白色化剤が含まれた樹脂フィルムである。
【００２４】
一方、前記第１の繊維束３、第２の繊維束４および第３の繊維束６はいずれも青色に着色された素材で形成されている。なお、前記繊維束３，４，６のうちのいずれかの繊維束のみが着色されていてもよいが、少なくとも基材シート２に隣接した第１の繊維束３が着色されていることが好ましい。
【００２５】
例えば前記繊維束３，４，６が、芯鞘構造の複合繊維で形成されている場合、芯部と鞘部の双方が着色されていてもよいが、前記芯部と鞘部の一方が着色されている繊維を用いると、前記繊維層が淡い青色を呈し、美感を与えるものとなる。また前記繊維束が着色された繊維で形成されていると、白色繊維で形成された繊維束を用いた場合に比べて、ボリューム感のある外観を呈するようになる。また、清掃時に繊維束が固まり状になったり捩じれて片寄ったような場合に、目視でその状態を早急に認識でき、廃棄時期であることを容易に理解できるようになる。
【００２６】
前記芯鞘構造の繊維などへの着色方法は、紡糸時の樹脂原料に予め顔料や染料を混ぜて行う原着であるが、繊維束の表面へ染料などを塗布してもよい。なお、原着の方が清掃対象物に色移りすることがないので好ましい。また、色彩は、赤色などであってもよい。繊維を赤色に着色すると、繊維束は淡いピンク色になり、美感に優れたものとなる。
【００２７】
また、前記繊維束を形成する長繊維の繊度は１〜５０ｄｔｅｘが好ましく、更に好ましくは２〜１０ｄｔｅｘである。また各繊維束が異なる繊度の繊維を含むものでもよい。
【００２８】
また、前記繊維束として、フィルムをテープ状にスリットし、延伸させたフラットヤーンや、スプリットヤーンと称される熱可塑性フィルムを樹脂の配向方向と直交する方向にかきわけて、繊維状となったフィルムが網目状に接合されているものを使用してもよい。この場合にはフィルムを形成する際に樹脂原料に顔料または染料を加えれば着色されたものとなる。あるいはフィルム表面に塗装して着色してもよい。あるいは繊維束として、エアースルー不織布などの嵩高で繊維密度の低い不織布を使用してもよい。
【００２９】
また、繊維束を形成する繊維は捲縮繊維が好ましい。捲縮繊維を用いると、繊維束が嵩高くなり、さらに捲縮部分に塵や埃を取り込み易い構造となる。特に、トウ繊維から形成された捲縮繊維束を用いることが好ましい。
【００３０】
次に、前記清掃用物品１０を形成する各層の接合構造を説明する。
前記基材シート２の上面には保持シート１が重ねられているが、保持シート１の、ＭＤと直交する方向（ＣＤ：清掃用物品の長手方向）の寸法は、基材シート２よりも保持シート１の方が短く、また前記保持シート１と基材シート２のＭＤ方向の幅寸法は双方とも一致している。
【００３１】
また保持シート１のＣＤの前後両端は、それぞれ裏側へ折り返されて折返部１ｂ，１ｂが形成され、基材シート２のＣＤ方向の両端も、端部が折り返されて折返部２ｃ，２ｃが形成されている。
【００３２】
前記基材シート２の下面には、ＭＤに向って延びる第１の繊維束３がＣＤに向けて均一な嵩となるように重ねられる。そして保持シート１、基材シート２および第１の繊維束３の３層が、互いに平行な接合線８，８により一体に接合されるとともに、接合線８，８よりも外側において斜めに延びる複数の側部接合線９によって接合される。この接合は、熱シール、超音波シールなどであり、前記接合線８および側部接合線９において、保持シート１と基材シート２と第１の繊維束３の３層が融着により接合されて融着部が形成される。ただし、側部接合線９が設けられていないものでもよい。
【００３３】
そして、保持シート１と基材シート２と第１の繊維束３が重ねられて接合された状態で、ギザギザ形状（鋸歯形状）の切込線１１，１１，…が切込まれて、前記保持シート１および基材シート２に前記切込線１１で分離された細長形状の複数の短冊片１２，１２，…が形成される。
【００３４】
前記短冊片１２，１２，…は、基材シート２の縁部から接合線８，８の間の領域２ｂ，２ｂに形成される。また前記接合線８と接合線８との間には、短冊片１２，１２が形成されず、この部分では基材シート２と保持シート１とが重ねられた保持領域２ａとなる。
【００３５】
そして、前記第１の繊維束３の下側に、第２の繊維束４、短冊シート５、第３の繊維束６が順に重ねられる。前記第２の繊維束４および第３の繊維束６は、共に繊維がＭＤに向って延び、またＣＤに均一な嵩となるように幅が広げられて積層される。また、前記短冊シート５には、ギザギザ形状（鋸歯形状）の切込線１３，１３，…が切込まれて、前記切込線１３で分離された細長形状の複数の短冊片１４，１４，…がＭＤに向かって延びて形成されている。
【００３６】
なお、保持シート１と基材シート２を重ねた状態でギザギザ形状の切込線１１が切込まれて短冊片１２が形成され、第１の繊維束３が重ねられた状態で接合線８，８で接合され、さらに第２の繊維束４、短冊シート５及び第３の繊維束６が重ねられ、全層接合線７で接合されてもよい。または保持シート１と基材シート２を重ねて切込線１１を形成し、第１の繊維束３と第２の繊維束４が積層された状態で接合線８，８で接合され、短冊シート５と第３の繊維束６が積層されて全層接合線７で接合されるものでもよく、または前記短冊シート５が最後に重ねられて全層接合線７で接合されてもよい。
【００３７】
前記のようにして保持シート１から第３の繊維束６までの全ての層が重ねられた状態で、全ての層が、ＭＤ方向に延びる中央線に沿う前記全層接合線７により接合されて一体化される。この全層接合線７は、前記接合線８と接合線８との中間で且つ前記接合線８，８と平行に延びるように形成される。前記全層接合線７は、熱シール、超音波シールなどの融着シール線であり、この全層接合線７によって各層が一体化される融着部が形成される。
【００３８】
この前記清掃用物品１０では、前記繊維束と短冊片とで形成された刷毛部で、埃を捕捉でき、特に短冊片で大きな埃を払うことができ、繊維束で埃を捕捉することができる。
【００３９】
前記各層が重ねられて一体に接合された清掃用物品１０では、図１に現れる上面において、保持シート１と基材シート２とが接合線８と接合線８ならびに前記全層接合線７により接合されており、一方の接合線８と全層接合線７との間、および全層接合線７と他方の接合線８との間で、前記基材シート２と保持シート１との間に、後に説明する把持具２１が挿入される保持空間２０，２０が形成される。
【００４０】
ここで、前記保持シート１と基材シート２は白色であり、各繊維束３，４，６は着色された繊維で形成されている。前記接合線８，８では、保持シート１と基材シート２および第１の繊維束３が一緒に融着されてフィルム状となった融着部が形成されている。よって接合線８，８は第１の繊維束３と同じ色彩（例えば青色）を呈し、この接合線８，８が保持シート１と異なる色彩で明瞭に区別できるようになる。全層接合線７も同様であり、この全層接合線７では着色された３層の繊維束３，４，６が一緒に融着されてフィルム状の融着部となっているため、この全層接合線７も保持シート１と異なる青色などの色彩を呈するようになる。
【００４１】
したがって、図１に示すように上方から見たときに、全層接合線７と両接合線８が目立つようになり、これら接合線の中間で、基材シート２と保持シート１との間に形成されている保持空間２０，２０を目視で明瞭に区別できるようになる。
【００４２】
また、前記基材シート２を不織布またはフィルムで白色に形成し、しかもある程度の光線透過率を有する目付け（坪量）で形成しておくと、基材シート２を透してその下に位置する第１の繊維束３の色彩が透けて見えるようになる。一方、保持シート１は基材シート２の上に重ねられているため、保持シート１がある程度の光線透過率を有していたとしても、保持シート１を透して見えることのできる第１の繊維束３の色彩は、基材シート２を透して見た前記色彩よりも薄くなる。したがって、基材シート２と保持シート１とが異なった色彩に見えるようになり、保持シート１のＣＤの前後の縁部が目立つようになる。さらにこの縁部が折返部１ｂ，１ｂとされているため、この折返部１ｂ，１ｂでは、さらに第１の繊維束３の色彩が薄くなる。前記折返部１ｂ，１ｂの部分は保持空間２０，２０の入口であるため、この入口を明瞭に目視で区別できるようになる。
【００４３】
前記基材シート２を透してその下の繊維束などの色彩が透けて見えるようにするためには、前記基材シートの光線透過率（ＪＩＳ−Ｋ−７１０５に基づいて測定されたもの）が、８０％以上であることが好ましく、基材シート２の単独の光線透過率と、保持シート１と基材シート２を重ねたときの光線透過率との差が、１０％以上であることが好ましい。
【００４４】
なお、前記接合線８，８および全層接合線７の融着部が色彩を呈するようにするためには、前記第１の繊維束３、第２の繊維束４、短冊シート５、第３の繊維束６の少なくとも１層が着色された繊維で形成されていればよい。例えば、前記実施の形態とは逆に、短冊シート５が着色された素材で形成され、各繊維束３，４，６が白色の繊維で形成されていてもよい。または、基材シート２が着色されていてもよい。
【００４５】
前記基材シート２および／または短冊シート５を着色したものとするためには、これらシートを着色した繊維で形成された不織布、あるいは顔料や染料を含む樹脂フィルムなどで形成すればよい。また、保持シート１は白色であることが好ましいが、この保持シート１が前記接合線８および全層接合線７の色彩と区別できる程度に着色されているものであってもよい。
【００４６】
なお、前記不織布は全体（１００％）が着色された繊維で形成されている必要はなく、着色した繊維が部分的に混合されて、不織布全体として着色したシートが形成されていてもよい。また保持シート１が着色した繊維で形成された不織布である場合にも前記と同様である。
【００４７】
また、基材シート２を透してその下の色彩が透けて見えるようにするためには、少なくとも前記基材シート２に隣接している第１の繊維束３が着色されていればよい。
【００４８】
図１に示されているように、前記清掃用物品１０は、表面側から把持具２１に装着することができる。把持具２１は、二股に分かれた挿入部２２，２２と把持部２３とを有している。挿入部２２，２２は所定の間隔を開けて配置され、その側面には係止突起２４が突出して形成されている。また挿入部２２と挿入部２２の間の基端部には先端へ延びる係止片２５が一体に形成されている。
【００４９】
前記清掃用物品１０では、前記全層接合線７と接合線８，８が着色された線となって現れ、しかも保持シート１と基材シート２とが異なる色彩を呈するように見えるため、前記把持具２１の装着位置および装着方向を目視で容易に認識できる。また、保持シート１の折返部１ｂ，１ｂが保持空間２０，２０の入口であり、この部分も他の領域と異なって目視できるため、把持具２１を挿入するための入口を認識しやすい。よって、前記二股の挿入部２２，２２を前記入口から挿入しやすい。さらに前記入口は基材シート２の縁部よりも内側に位置しているため、挿入部２２，２２を前記入口から前記保持空間２０，２０内へ滑り込ませやすくなっている。
【００５０】
前記挿入部２２，２２が前記保持空間２０，２０内に挿入されると、前記係止片２５が保持シート１の全層接合線７上に位置することで保持シート１が挿入部２２，２２と係止片２５との間に挟まれて、清掃用物品１０の把持具２１からの抜け止め効果が発揮される。
【００５１】
また前記清掃用物品１０は、図１，図２に示すように左右対称形状であるため、把持具２１に対し清掃用物品１０を図１の方向から装着した状態で、清掃作業を行ない、その結果、清掃用物品１０が局部的に汚れたときに、清掃用物品１０を図１に示す向きから１８０度回転させた向きで把持具２１に保持させてもよい。このように向きを変えて使用することで、清掃用物品１０の各部を片寄りなく均一に使用することができる。
【００５２】
なお、図６に示すように、前記清掃用物品１０において、接合線８，８の内側に保持シート１と基材シート２が接合された短い接合線２６，２６が形成されていてもよい。前記接合線２６は、それぞれ挿入部２２の係止突起２４と係止突起２４との間隔とほぼ等しい長さに形成されており、前記挿入部２２が保持空間２０に挿入されたときに、前記接合線２６が係止突起２４と係止突起２４との間に位置することで、清掃用物品１０の把持具２１からの抜け止め効果が発揮されるものである。
【００５３】
図３は本発明の第２の実施の形態の清掃用物品３０を示す斜視図である。
この清掃用物品３０は、前記清掃用物品１０と同様な各シートおよび各繊維束の層構造を有している。第１の実施の形態との相違点は、保持シート３１と基材シート３２とが異なる色彩を呈するようにした点にある。
【００５４】
図３に示す実施の形態の清掃用物品３０は、保持シート３１が青色などの色彩に着色されており、基材シート３２を含む他の層の素材が全て白色である。清掃用物品３０の構造は、前記清掃用物品１０と同様に、全層接合線３３により全ての層が接合され、接合線３４，３４により保持シート３１、基材シート３２および第１の繊維束が接合されている。全層接合線３３及び接合線３４，３４は、いずれも熱シール、超音波シールなどによる融着シール線、または接着剤を用いた接着線、あるいは縫合線である。
【００５５】
この清掃用物品３０では、保持シート３１と基材シート３２との間に、接合線３４，３４と全層接合線３３とで囲まれた２つの保持空間３５，３５が形成され、この保持空間３５，３５に、図１に示した把持具２１が挿入される。
【００５６】
前記清掃用物品３０では、保持シート３１と基材シート３２とが異なる色彩であるため、把持具２１の挿入部２２，２２を挿入する保持空間３５，３５の入口を容易に認識できる。
【００５７】
また、この発明では、保持シート３１を白色とし、基材シート３２を着色した素材で形成してもよいし、保持シート３１と基材シート３２とが互いに異なる色彩に着色されていてもよい。
【００５８】
また、基材シート３２をある程度の光線透過率を有する素材で形成し、基材シート３２の下に位置する第１の繊維束を着色した素材で形成して、上から見たときに、基材シート３２を透過してその下の第１の繊維束の色を透視できるようにし、保持シート３１を、前記基材シート３２を透して見える色と異なる色の素材で形成してもよい。
【００５９】
またこの場合も、前記刷毛部を形成するいずれかの繊維束、または短冊状シートなどの少なくとも一層を着色した素材で形成し、全層接合線３３と接合線３４，３４を融着部として、これら接合線３３，３４，３４が色彩を呈するようにすることで、保持空間３５，３５の位置を認識しやすくなる。
【００６０】
また保持シート３１には、長手方向の前後端部に、折返部３１ａ，３１ａが形成されている。保持シート３１が着色されている場合には、前記折返部３１ａ、３１ａの部分が、保持シート３１の他の部分よりも濃い色彩を呈するため、保持空間３５，３５の入口を認識しやすくなる。また保持シート３１を白色の素材で形成し、基材シート３２を着色した素材で形成した場合も、前記保持シート３１に前記折返部３１ａ，３１ａを形成すると、保持シート３１を透して見える基材シート３２の色彩に対して、折返部３１ａ，３１ａの色彩の透過率が低くなるため、保持空間３５，３５の入口を認識しやすくなる。
【００６１】
図４は、本発明の清掃用物品の第３の実施の形態を示す斜視図である。
この清掃用物品４０は、基材シート４２の上面側に保持シート４１が積層され、基材シート４２の下面側に刷毛部４３が積層されている。この刷毛部４３は、上記繊維束のみ、または不織布のみ、またはこれらを適宜組み合せて形成される。この実施の形態では、前記刷毛部４３の少なくとも一部を青色などに着色された素材で形成し、前記保持シート４１と基材シート４２とを白色の素材で形成する。そして前記保持シート４１と基材シート４２と刷毛部４３とが重ねられ、その周縁部が熱シールや超音波シールなどで接合されて全層接合線４４が形成されている。そして前記全層接合線４４の内側において、保持シート４１と基材シート４２との間に保持空間４５が形成されている。
【００６２】
図４に示すように、前記清掃用物品４０に形成された保持空間４５には把持具４７が装着される。把持具４７は平板状の挿入部４８と把持部４９とが一体に形成されたものであり、前記挿入部４８が前記保持空間４５内に挿入される。
【００６３】
前記清掃用物品４０では、刷毛部４３が青色などの着色された素材で形成されているため、前記全層接合線４４で各層が融着されたときにこの融着部がフィルム状となって色彩を呈するようになり、白色の保持シート４１及び基材シート４２と異なる色彩を呈し、前記把持具４７の挿入位置および挿入方向を容易に認識できる。この場合も、保持シート４１には、保持空間４５の入口となる部分に折返部４１ａが形成されることが好ましい。
【００６４】
この場合も、基材シート４２を着色された素材で形成し、保持シート４１を白色の素材として、全層接合線４４が色彩を呈するようにすることができる。
【００６５】
また、前記刷毛部４３の少なくとも一部が着色されていることにより、刷毛部４３にボリューム感を与えることができる。
【００６６】
また、保持シート４１と基材シート４２を異なる色彩の素材で形成して保持空間４５の入口が識別できるようにしてもよい。
【００６７】
また図５に示す清掃用物品５０のように、基材シート５２の上面側に保持シート５１を積層し、基材シート５２の下面側に、不織布を主体とした、あるいはトウから開繊された繊維束のみで形成された刷毛部５３を積層し、これらを熱融着による全層接合線５４，５４を形成して保持空間５５を形成したものであってもよい。この場合にも、刷毛部５３が着色された素材で形成され、または保持シート５１と基材シート５２とが異なる色彩の素材で形成される。
【００６８】
前記保持空間５５には把持具５６が装着されるが、この把持具５６は上下に二股に分かれた挿入部５７，５７と把持部５８を有している。前記挿入部５７，５７はそれぞれ微小間隔を開けて配置されており、下側の挿入部５７を保持空間５５に挿入することで、保持シート５１が挿入部５７と挿入部５７との間で挟持される。
【００６９】
なお、本発明の清掃用物品は、上記実施の形態に限られるものではなく、例えば、基材シートの表面に複数の帯状の保持シートが接合されて、各帯状の保持シートと基材シートの間に、把持具を挿入する保持空間が形成されているものであってもよい。この場合も保持シートと基材シートの色彩を異ならせておくことにより、前記保持空間を識別しやすくなる。
【００７０】
また、保持シートの表面に保持空間が認識できる程度に繊維束が接合されているものでもよい。
【図面の簡単な説明】
【００７１】
【図１】本発明の清掃用物品の第１の実施の形態を示す斜視図、
【図２】図１に示す清掃用物品を構成する各層を、図１と上下逆向きにして示す分解斜視図、
【図３】本発明の清掃用物品の第２の実施の形態を示す斜視図、
【図４】本発明の清掃用物品の第３の実施の形態を示す斜視図、
【図５】本発明の清掃用物品の第４の実施の形態を示す斜視図、
【図６】図１に示す清掃用物品の変形例を示す平面図、
【符号の説明】
【００７２】
１  保持シート
１ｂ  折返部
２  基材シート
３  第１の繊維束
４  第２の繊維束
５  短冊シート
６  第３の繊維束
７  全層接合線
８  接合線
１０  清掃用物品
２１  把持具
２２  挿入部
２３  把持部
【要約】
【課題】  従来の清掃用物品は全体が白色で美感の点で最良とはいえず、また各素材が白色であるため、把持具の挿入位置を目視で認識しにくかった。
【解決手段】  保持シート１と基材シート２とをそれぞれ白色で形成し、刷毛部に含まれる繊維束を青色などの着色された素材形成する。保持シート１と基材シート２と刷毛部を熱融着することで全層接合線７と接合線８，８が形成され、保持シート１と基材シート２の間に把持具２１が挿入される保持空間２０，２０が形成される。前記全層接合線７と接合線８，８の融着部には前記着色された素材の色彩が現れるため、前記保持空間２０，２０の位置を区別しやすくなり、把持具２１を装着しやすくなる。また着色された素材を有するため、全体の美感が良好になる。
【選択図】    図１
【図１】
0003683266.tif 000002
【図２】
0003683266.tif 000003
【図３】
0003683266.tif 000004
【図４】
0003683266.tif 000005
【図５】
0003683266.tif 000006
【図６】
0003683266.tif 000007